(57)【要約】【課題】分電盤のブレーカと電気設備との対応関係を探査するにあたって、給電配線路を活線状態としたままで、しかも効率よくブレーカと負荷との対応関係を探査できるようにする。【解決手段】各給電配線路２の分電盤１側に接続される送信機１０と、各給電配線路２の負荷（電気設備）４側に接続される受信機２０とを含み、送信機１０側より各給電配線路２ａ〜２ｃごとに設定された配線路認識信号を第１電力線通信モジュール１２およびスキャナ（信号割当部）１３を介して各給電配線路２ａ〜２ｃに重畳して送信し、受信機２０側では個々の給電配線路２ａ〜２ｃから得られる配線路認識信号を第２電力線通信モジュール２２により復調して当該給電配線路を識別する。【選択図】図１
2007170939.tif 000002
【特許請求の範囲】
【請求項１】
電源供給用の分電盤に設けられている複数のブレーカから各負荷に至る給電配線路の上記ブレーカ側と上記負荷側との対応関係を調べる給電配線路の探査装置において、
上記給電配線路の上記ブレーカ側に接続される送信機と、上記給電配線路の上記負荷側に接続される受信機とを含み、
上記送信機は、上記各給電配線路を識別するための配線路認識信号を生成して出力する認識信号出力部と、上記配線路認識信号を上記給電配線路に重畳し得る信号形態に変換して出力する第１電力線通信モジュールと、上記第１電力線通信モジュールより出力される上記配線路認識信号を上記各給電配線路に時系列順に割り当てて送信する信号割当部とを備え、
上記受信機には、上記各給電配線路に択一的に接続される接続手段と、上記接続手段により選択された給電配線路に重畳されている上記配線路認識信号を復調する第２電力線通信モジュールと、上記第２電力線通信モジュールで復調された上記配線路認識信号から当該給電配線路を識別する配線路識別部と、上記配線路識別部の識別結果を表示する表示部とが備えられていることを特徴とする給電配線路の探査装置。
【請求項２】
上記各給電配線路内で上記送信機が接続される箇所よりも上記ブレーカ側に取り付けられるブロッキングフィルタをさらに備えることを特徴とする請求項１に記載の給電配線路の探査装置。
【発明の詳細な説明】
【技術分野】
【０００１】
本発明は、分電盤に設けられているブレーカから負荷に至る給電配線路の探査装置に関し、さらに詳しく言えば、給電配線路を活線状態としたままで、しかも効率よくブレーカと負荷との対応関係を探査できるようにした給電配線路の探査装置に関するものである。
【背景技術】
【０００２】
電源供給用の分電盤には複数のブレーカが設けられており、その各々に給電配線路を介して負荷として電気設備が接続される。その場合、通常では、ブレーカの銘板に電気設備の名称などを書き込むことにより、ブレーカと電気設備との対応関係を管理するようにしている。
【０００３】
しかしながら、電気設備のレイアウト変更や増設などを行う際、ブレーカの銘板の書き替えを怠る場合があり、そうするとブレーカの銘板に記載されている電気設備と、実際に接続されている電気設備とが一致しないことがある。
【０００４】
給電配線路が床面や壁面などに這わされ、しかも配線長が短い場合には、その給電配線路を辿ることにより、ブレーカと電気設備の対応関係を容易に知ることができるが、そうではなく、例えば給電配線路が埋設されていたり、ダクト内に配線されているような場合には、電気的に探査することになる。
【０００５】
この探査法には、分電盤内のブレーカを順番に開閉して電気設備側の電圧の有無を測定する第１の方法と、発信器により電気設備の電源端子側からＡＣ２００ＶまたはＡＣ１００Ｖの電源正弦波に４ｋＨｚ程度の高周波を重畳させ、分電盤のブレーカ側に受信器を近づけて、その高周波信号の有無を検知することにより、ブレーカと電気設備の対応関係を判断する第２の方法とが知られている。
【０００６】
しかしながら、上記第１の方法では、一旦電気設備の電源を落とさなければならないため、同一の分電盤内に例えば長時間連続運転している電気設備がある場合には、その電気設備を含めてすべての電気設備が稼働を停止する期間を見計らって探査しなければならない、という問題がある。
【０００７】
これに対して、上記第２の方法によれば、電気設備の稼働中でも給電配線路の探査を行うことができるが、同一の分電盤内に例えばインバータを搭載している電気設備がある場合には、そのインバータから発生する高調波がノイズとなることがあるため、信頼性の点で問題がある。
【０００８】
そこで、特許文献１に記載の発明では、図３に示すように、電源供給用の分電盤２に設けられた複数のブレーカ３Ａ〜３Ｄと、これら各ブレーカ３Ａ〜３Ｄに給電配線路４Ａ〜４Ｄで接続された電気設備（負荷）５との対応関係を探査するにあたって、給電配線路４Ａ〜４Ｄに取り付けられ、大地に漏洩電流Ｉｏを流すとともに、その絶縁抵抗１２，１３を可変し得る漏電発生器７と、給電配線路４Ａ〜４Ｄに取り付けられ、それら各給電配線路４Ａ〜４Ｄに流れる漏洩電流Ｉｏを検出する携帯型電流測定器８とを備える給電配線路の探査装置が提案されている。
【０００９】
【特許文献１】特開２００１−１６５９８４号公報
【発明の開示】
【発明が解決しようとする課題】
【００１０】
上記特許文献１に記載の発明によれば、ブレーカをオフにすることなく給電配線路を活線状態としたままで、しかも同一の分電盤内に高調波を発生するインバータを搭載している電気設備があったとしても、携帯型電流測定器８にて漏電発生器７が接続されている給電配線路を検出することができ、これによりブレーカと電気設備の対応関係を探査することができる。
【００１１】
しかしながら、漏電発生器７により擬似的に漏電状態を作り出すことから、場合によっては、その漏洩電流Ｉｏよってブレーカが作動してしまうおそれがある。また、給電配線路４Ａ〜４Ｄごとに、漏電発生器７と携帯型電流測定器８とをそれぞれ付け替える必要があるため、必ずしも効率的とは言えない。
【００１２】
すなわち、給電配線路４Ａ〜４Ｄの配線長が長い場合には、分電盤２側と電気設備５側とにそれぞれ作業員を配置し、その各作業員間が連絡を取り合いながら行うか、作業員一人の場合には、分電盤２と電気設備５との間を行き来しなければならない。
【００１３】
さらには、分電盤２側と電気設備５側とに、それぞれ作業員を配置して連絡を取り合う場合、その連絡手段として携帯電話機がよく用いられるが、例えば分電盤２がビルの地下などに設置されているような場合には、往々にして携帯電話機の電波が届かないため、作業者間の連絡手段として別の通信装置が必要となる。
【００１４】
したがって、本発明の課題は、分電盤のブレーカと電気設備との対応関係を探査するにあたって、給電配線路を活線状態としたままで、しかも効率よくブレーカと負荷との対応関係を探査できるようにすることにある。
【課題を解決するための手段】
【００１５】
上記課題を解決するため、請求項１に記載の発明は、電源供給用の分電盤に設けられている複数のブレーカから各負荷に至る給電配線路の上記ブレーカ側と上記負荷側との対応関係を調べる給電配線路の探査装置において、上記給電配線路の上記ブレーカ側に接続される送信機と、上記給電配線路の上記負荷側に接続される受信機とを含み、上記送信機は、上記各給電配線路を識別するための配線路認識信号を生成して出力する認識信号出力部と、上記配線路認識信号を上記給電配線路に重畳し得る信号形態に変換して出力する第１電力線通信モジュールと、上記第１電力線通信モジュールより出力される上記配線路認識信号を上記各給電配線路に時系列順に割り当てて送信する信号割当部とを備え、上記受信機には、上記各給電配線路に択一的に接続される接続手段と、上記接続手段により選択された給電配線路に重畳されている上記配線路認識信号を復調する第２電力線通信モジュールと、上記第２電力線通信モジュールで復調された上記配線路認識信号から当該給電配線路を識別する配線路識別部と、上記配線路識別部の識別結果を表示する表示部とが備えられていることを特徴としている。
【００１６】
また、請求項２に記載の発明は、上記請求項１において、上記各給電配線路内で上記送信機が接続される箇所よりも上記ブレーカ側に取り付けられるブロッキングフィルタをさらに備えることを特徴としている。
【発明の効果】
【００１７】
請求項１に記載の発明によれば、送信機側より各給電配線路ごとに設定された配線路認識信号を第１電力線通信モジュールおよび信号割当部を介して各給電配線路に重畳して送信し、受信機側では個々の給電配線路から得られる配線路認識信号を第２電力線通信モジュールにより復調して当該給電配線路を識別するようにしたことにより、給電配線路を活線状態としたままで分電盤のブレーカと電気設備との対応関係を探査することができる。また、送信機側より各給電配線路に対して自動的に配線路認識信号が送信されるため、分電盤側に作業員を常駐させる必要はなく、作業員は受信機側の一人で足りることになる。
【００１８】
また、請求項２に記載の発明によれば、各給電配線路内で送信機が接続される箇所よりもブレーカ側に取り付けられるブロッキングフィルタを備えることにより、他の給電配線路への信号漏洩を防止することができ、配線路探査の信頼性をより高めることができる。
【発明を実施するための最良の形態】
【００１９】
次に、図１および図２により、本発明の実施形態について説明するが、本発明はこれに限定されるものではない。図１は本発明による給電配線路の探査装置の構成を給電配線路とともに示す模式図，図２は本発明の動作説明用のタイミングチャートである。
【００２０】
図１に示すように、本発明による給電配線路の探査装置は、電源供給用の分電盤１から負荷である電気設備４に至る給電配線路２を探査するため、送信機１０と受信機２０とを備える。
【００２１】
この例において、分電盤１には、３つのブレーカ１ａ〜１ｃが設けられ、各ブレーカ１ａ〜１ｃに対して３台の電気設備４ａ〜４ｃが給電配線路２ａ〜２ｃを介して接続されている。また、各電気設備４ａ〜４ｃ側にもブレーカ３ａ〜３ｃが設けられているが、設備側のブレーカ３ａ〜３ｃは省略されることもある。
【００２２】
なお、以下の説明において、給電配線路２ａ，２ｂ，２ｃを特に区別する必要がないときには、単に給電配線路２と言うことがある。同様に、電気設備４ａ，４ｂ，４ｃについても、特に区別する必要がないときには、単に電気設備４と言うことがある。
【００２３】
送信機１０は、認識信号出力部１１，電力線通信モジュール１２および信号割当部としてのスキャナ１３を備える。認識信号出力部１１は、給電配線路２ａ，２ｂ，２ｃごとに固有の配線路認識信号をデシタル信号で生成し、シリアルバスＳＢ１を介して電力線通信モジュール１２に出力する。
【００２４】
電力線通信（ＰＬＣ；Ｐｏｗｅｒ  Ｌｉｎｅ  Ｃｏｍｍｕｎｉｃａｔｉｏｎ）モジュール１２は、電力線（給電配線路２）を通信線として使用するためのモジュールで、電灯線モジュールと呼ばれることもある。電力線通信モジュール１２は、認識信号出力部１１からの配線路認識信号を給電配線路２に重畳し得る信号形態に変換（変調）し、シリアルバスＳＢ２を介してスキャナ１３に送出する。
【００２５】
この種の電力線通信モジュール１２には、例えば松下産業機器社製の電灯線エコーネット（商品名）があり、この電力線通信モジュールでは、制御部から出力されたデジタル信号をスペクトラム拡散信号（ＳＳ信号）に変換して電灯線に重畳するようにしている。
【００２６】
スキャナ１３は、電力線通信モジュール１２からシリアルデータとして送られてくる配線路認識信号を給電配線路２ａ，２ｂ，２ｃに順次送信する。この例において、スキャナ１３は、図示しない３つリレースイッチを有し、これをサイクリック的に切り替えることにより、配線路認識信号を給電配線路２ａ，２ｂ，２ｃに順次送信する。スキャナ１３の各リレースイッチは例えばワニ口クリップなどの接続手段にて各給電配線路２に接続されてよい。
【００２７】
受信機２０は、各給電配線路２に択一的に接続される接続手段２１と、接続手段２１が接続された給電配線路２に重畳されている配線路認識信号を復調する電力線通信モジュール２２と、第２電力線通信モジュール２２で復調された配線路認識信号から当該給電配線路を識別する配線路識別部２３と、配線路識別部２３の識別結果を表示する表示部２４とを備える。
【００２８】
接続手段２１には、例えばワニ口クリップ２１ａを用いることができる。その場合、ワニ口クリップ２１ａを３つ用意し、それらを給電配線路２ａ，２ｂ，２ｃの各々に接続し、上記スキャナ１３と同様なスキャナで、各給電配線路２の一つを選択するようにしてもよい。
【００２９】
電力線通信モジュール２２は、給電配線路２に重畳されている配線路認識信号を、送信機１０側の電力線通信モジュール１２にて変換される前のデジタル信号、すなわち上記認識信号出力部１１から出力される配線路認識信号に復調し、シリアルバスＳＢ３を介して配線路識別部２３に送出する。
【００３０】
配線路識別部２３は、上記認識信号出力部１１にて生成される各給電配線路２の配線路認識信号と同じ信号を図示しない記憶部に備えており、電力線通信モジュール２２にて復調された配線路認識信号と、上記記憶部に格納されている配線路認識信号とを照合して給電配線路２を識別（特定）し、その給電配線路２の例えばライン番号などを表示部２４に表示させる。
【００３１】
配線路識別部２３は、マイクロプラセッサやマイクロコンピュータなどが用いられてよい。また、表示部２４には、好ましくは液晶表示パネルが用いられるが、給電配線路２の本数に対応する数（この例では３つ）の発光ダイオードを設けて、対応する発光ダイオードを点灯もしくは点滅させるようにしてもよい。
【００３２】
給電配線路２を探査するにあたって、送信機１０を各給電配線路２の分電盤１側に接続する。すなわち、スキャナ１３からリード線を介して引き出されている図示しない３つのワニ口クリップを給電配線路２ａ，２ｂ，２ｃのブレーカ１ａ〜１ｃ側で導線が露出している部分（裸線部分）に噛ませる。
【００３３】
その際、例えば給電配線路２ａについて言えば、その配線路認識信号が他の給電配線路２ｂ，２ｃに回り込まないようにするため、ワニ口クリップの接続部分と分電盤１との間に、各給電配線路２ａ，２ｂ，２ｃごとにブロッキングフィルタ１４ａ，１４ｂ，１４ｃを取り付けることが好ましい。
【００３４】
なお、給電配線路２ａ，２ｂ，２ｃに裸線部分がない場合には、各ワニ口クリップをブレーカ１ａ，１ｂ，１ｃのターミナル端子に噛ませてもよい。その場合には、ブロッキングフィルタ１４ａ，１４ｂ，１４ｃをブレーカ１ａ，１ｂ，１ｃの上流側に取り付ける。
【００３５】
そして、送信機１０を動作させると、図２のタイミングチャートに示すように、認識信号出力部１１から給電配線路２ａ用の配線路認識信号Ｄ２ａ，給電配線路２ｂ用の配線路認識信号Ｄ２ｂおよび給電配線路２ｃ用の配線路認識信号Ｄ２ｃが時系列的に生成され、これらの各配線路認識信号Ｄ２ａ，Ｄ２ｂ，Ｄ２ｃが電力線通信モジュール１２にて例えばスペクトラム拡散信号（ＳＳ信号）に変換されたのち、スキャナ１３を介して各給電配線路２ａ，２ｂ，２ｃに順次重畳される。
【００３６】
一方、電気設備４側では、受信機２０のワニ口クリップ２１ａを給電配線路２ａ，２ｂ，２ｃのうちの最初の１本目の探査として、例えば給電配線路２ａに接続する。給電配線路２ａに裸線部分があれば、その部分にワニ口クリップ２１ａを噛ませればよいが、裸線部分がない場合には設備側ブレーカ３ａのターミナル端子を利用してもよい。
【００３７】
上記のようにして、ワニ口クリップ２１ａを給電配線路２ａに接続することにより、その給電配線路２ａに重畳されている配線路認識信号Ｄ２ａが電力線通信モジュール２２に取り込まれ、上記送信機１０側の電力線通信モジュール１２にて変換される前のデジタル信号に復調され、図２のタイミングチャートに示すように、シリアルデータとして配線路識別部２３に送られる。
【００３８】
配線路識別部２３では、配線路認識信号Ｄ２ａと上記記憶部に格納されている各配線路認識信号とを照合し、この場合、配線路認識信号Ｄ２ａが給電配線路２ａ用のものであるため、ワニ口クリップ２１ａを接続している給電配線路が給電配線路２ａであることを表示部２４に表示する。
【００３９】
これにより、電気設備４のうちの電気設備４ａが給電配線路２ａを介してブレーカ１ａに接続されていることが分かる。以後、給電配線路２ｂ，２ｃについても同様にして探査するが、この例では、給電配線路２が３本であるため、少なくとも給電配線路２ｂ，２ｃのうちのいずれか１本のみを探査すれば、残りの１本の給電配線路は自ずと特定することができる。したがって、給電配線路２がｎ本（ｎは２以上の整数）の場合、ｎ−１本を探査すればよい。
【００４０】
以上説明したように、本発明によれば、給電配線路２を活線状態としたままで分電盤１のブレーカと電気設備４との対応関係を探査することができる。また、送信機１０側より各給電配線路２に対して自動的に配線路認識信号が送信されるため、分電盤１側に作業員を常駐させる必要はなく、作業員は受信機２０側の一人で足りることになる。
【図面の簡単な説明】
【００４１】
【図１】本発明による給電配線路の探査装置の構成を給電配線路とともに示す模式図。
【図２】本発明の動作説明用のタイミングチャート。
【図３】従来例を示す概略図。
【符号の説明】
【００４２】
１  分電盤
１ａ〜１ｃ  ブレーカ
２，２ａ〜２ｃ  給電配線路
４，４ａ〜４ｃ  電気設備（負荷）
１０  送信機
１１  識別信号出力部
１２  電力線通信モジュール（送信機側）
１３  スキャナ
２０  受信機
２１  接続手段
２１ａ  ワニ口クリップ
２２  電力線通信モジュール（受信機側）
２３  配線路識別部
２４  表示部
【図１】
2007170939.tif 000003
【図２】
2007170939.tif 000004
【図３】
2007170939.tif 000005